(57)【要約】【課題】小型の圧電基板の面取り加工寸法精度の低下による圧電振動子の共振特性や周波数温度特性のバラツキ、等価回路定数値のバラツキ等の問題を防止することを可能とするエネルギー閉じ込めに必要な圧電基板の構造的な加工を高精度に再現性良く実現し、且つ、量産においても好適な圧電振動子及びその製造方法を提供することを目的とする。【解決手段】厚み滑り振動を主振動として励振する圧電基板を有する圧電振動子において、圧電基板両主面上中央部に励振用電極を形成すると共に、圧電基板長手方向端部と前記励振用電極との間に、フォトリソグラフィ技法とエッチング技法とを用いて複数の溝または孔を形成する、或はイオン打込みによりドーピング層を形成することによって励振用電極直下の振動領域にエネルギー閉じ込めを可能せしめた。【選択図】図１
2011097623.tif 000002
【特許請求の範囲】
【請求項１】
厚み滑り振動を主振動とする圧電振動子において、圧電基板両主面上中央部に励振用電
極を形成すると共に、
前記圧電基板の厚み滑り振動の伝搬方向端部と前記励振用電極との間に複数の溝を設け
たことを特徴とする圧電振動子。
【請求項２】
前記圧電振動子が短冊型であって、
前記複数の溝は、前記圧電基板の長辺と直交する線に対し所望の角度傾斜して設けられ
ていることを特徴とする請求項1記載の圧電振動子。
【請求項３】
前記圧電振動子が短冊型であって、
前記複数の溝は、前記圧電基板の長辺と直交する線に対し所望の角度傾斜し、
且つ、前記圧電基板長辺に平行し且つ前記励振用電極のほぼ中央部を通過する線に対し
て線対称に設けられていることを特徴とする請求項１記載の圧電振動子。
【請求項４】
前記複数の溝は、前記圧電基板の対向する辺から延在し、
互いに間挿するよう配置されていることを特徴とする請求項1記載の圧電振動子。
【請求項５】
前記複数の溝は、前記圧電基板の辺から、
前記圧電基板の辺に平行し且つ前記励振用電極のほぼ中央部を通過する線付近まで延在
することを特徴とする請求項４記載の圧電振動子。
【請求項６】
前記溝が、所定の曲率で前記励振用電極側に湾曲していることを特徴とする請求項1記
載の圧電振動子。
【請求項７】
前記溝の長さは、前記励振用電極辺の長さ以上であることを特徴とする請求項１，２，
３，６記載の圧電振動子。
【請求項８】
前記励振用電極の両側に位置し、該電極にもっとも近接した一対の溝の圧電基板厚さ方
向の深さは、他の溝の深さより浅いことを特徴とする請求項１，２，３，６，７記載の圧
電振動子。
【請求項９】
前記複数の溝の圧電基板厚さ方向の深さは、前記励振用電極に近い程浅く、
圧電基板長手方向端部に近いほど深くしたことを特徴とする請求項８記載の圧電振動子
。
【請求項１０】
前記励振用電極と圧電基板長手方向端部との間の所望の位置にある溝の圧電基板厚さ方
向の深さを他の溝の深さより深くしたことを特徴とする請求項１乃至７記載の圧電振動子
。
【請求項１１】
前記励振用電極の両側に位置し、該電極にもっとも近接した一対の溝及びその次に近接
した一対の溝の圧電基板厚さ方向の深さは、他の溝の深さより浅いことを特徴とする請求
項４及び５記載の圧電振動子。
【請求項１２】
前記励振用電極と圧電基板長手方向端部との間の所望の位置にある隣り合う一組の溝と
、
該一組の溝とは前記励振用電極を挟んで対向する位置にある他の隣り合う一組の溝の圧
電基板厚さ方向の深さをそれ以外の溝の深さより深くしたことを特徴とする請求項１１記
載の圧電振動子。
【請求項１３】
厚み滑り振動を主振動とする圧電振動子において、圧電基板両主面上中央部に励振用電
極を形成すると共に、
前記圧電基板の厚み滑り振動の伝搬方向端部と前記励振用電極との間に複数の孔を設け
たことを特徴とする圧電振動子。
【請求項１４】
前記圧電振動子が短冊形であって、
前記複数の孔は、前記圧電基板の短辺方向に列状に形成したことを特徴とする請求項１
３記載の圧電振動子。
【請求項１５】
前記圧電振動子が短冊形であって、
前記孔の列が、前記圧電基板の長辺と直交する線に対し所望の角度傾斜していることを
特徴とする請求項１４記載の圧電振動子。
【請求項１６】
前記圧電振動子が短冊形であって、
前記孔の列が、前記圧電基板の長辺と直交する線に対し所望の角度傾斜し、
且つ、前記圧電基板長辺方向に平行し且つ前記励振用電極のほぼ中央部を通過する線に
対して線対称に設けられていることを特徴とする請求項１３又は１４記載の圧電振動子。
【請求項１７】
前記複数の列は、前記圧電基板の対向する辺から延在し、
互いに間挿するよう配置されていることを特徴とする請求項１３又は１４記載の圧電振
動子。
【請求項１８】
前記複数の列が、前記圧電基板の辺から、
前記圧電基板の辺に平行し且つ前記励振用電極のほぼ中央部を通過する線付近まで延在
することを特徴とする請求項１７記載の圧電振動子。
【請求項１９】
前記列が、所望の曲率で前記励振用電極側に湾曲していることを特徴とする請求項１４
記載の圧電振動子。
【請求項２０】
前記孔が、千鳥格子状に配列したことを特徴とする請求項１３記載の圧電振動子。
【請求項２１】
前記列の長さは、前記励振用電極の長さ以上であることを特徴とする請求項１４，１５
，１６，１９記載の圧電振動子。
【請求項２２】
前記励振用電極に近い前記孔の圧電基板厚さ方向の深さは、他の孔の深さより浅いこと
を特徴とする請求項１３，２０記載の圧電振動子。
【請求項２３】
前記励振用電極と圧電基板長手方向端部との間の所望の位置にある複数の孔の圧電基板
厚さ方向の深さを他の孔の深さより深くしたことを特徴とする請求項１３，２０記載の圧
電振動子。
【請求項２４】
前記孔の圧電基板厚さ方向の深さは、前記励振用電極に近いほど浅く、
圧電基板長手方向端部に近いほど深くしたことを特徴とする請求項１３，２０記載の圧
電振動子。
【請求項２５】
前記励振用電極に近い前記列を構成する孔の圧電基板厚さ方向の深さは、他の列に含ま
れる孔の深さより浅いことを特徴とする請求項１４，１５，１６，１７，１８，１９記載
の圧電振動子。
【請求項２６】
前記列を構成する孔の圧電基板厚さ方向の深さは、前記励振用電極に近い列の孔ほど浅
く、
圧電基板長手方向端部に近い列の孔ほど深くしたことを特徴とする請求項１４，１５，
１６，１７，１８，１９記載の圧電振動子。
【請求項２７】
前記励振用電極と圧電基板長手方向端部との間の所望の位置にある列を構成する孔の圧
電基板厚さ方向の深さを他の列を構成する孔の深さより深くしたことを特徴とする請求項
１４，１５，１６，１９記載の圧電振動子。
【請求項２８】
前記励振用電極にもっとも近接した一対の列及びその次に近接した一対の列を構成する
孔の圧電基板厚さ方向の深さは、他の列を構成する孔の深さより浅いことを特徴とする請
求項１７及び１８記載の圧電振動子。
【請求項２９】
厚み滑り振動を主振動とする圧電振動子において、圧電基板両主面上中央部に励振用電
極を形成すると共に、
前記圧電基板の厚み滑り振動の伝搬方向端部と前記励振用電極との間に添加物を添加し
たことを特徴とする圧電振動子。
【請求項３０】
前記添加物は、イオン打込み技術或は気相熱拡散技術を用いて添加したことを特徴とす
る請求項２９記載の圧電振動子。
【請求項３１】
単一のウェーハ上であって、圧電振動子の励振用電極と該圧電振動子個片の長手方向端
部との間に位置する部位に複数の溝または孔を形成する工程或は添加物を添加する工程と
、
単一のウェーハ上であって、各圧電振動子個片に対応し、圧電振動子個片の端部或は端
部付近に位置する部位にスルーホールを形成する工程と、
単一のウェーハ上に圧電振動子個片の励振用電極及びリード電極を夫々複数形成する工
程と、
前記スルーホールに導体膜を形成する工程と、前記単一のウェーハを複数の圧電振動子
に分割する工程とからなることを特徴とする圧電振動子の製造方法。
【請求項３２】
上記溝または孔を形成する工程と上記スルーホールを形成する工程とを同時に行うこと
を特徴とする請求項３１記載の圧電振動子の製造方法。
【請求項３３】
上記励振用電極及びリード電極を形成する工程と上記スルーホールに導体膜を形成する
工程とを同時に行うことを特徴とする請求項３１または３２記載の圧電振動子の製造方法
。
【発明の詳細な説明】
【技術分野】
【０００１】
本発明は、短冊型圧電基板を用いた圧電振動子において、圧電基板両主面上中央部の励
振用主電極と圧電基板長辺方向端部との間に複数の溝または孔を形成し、あるいはドーピ
ングを施した圧電基板を備えた圧電振動子に関するものである。
【背景技術】
【０００２】
近年、各種電子機器や伝送通信機器に用いる基準周波数信号源として圧電振動子、例え
ば水晶振動子が幅広く使用されている。特に、ＡＴカット水晶基板を用いた水晶振動子は
、広い温度範囲で極めて高い周波数安定性を有し、更に経時変化特性にも優れており、且
つ、製造技術の進歩により低コストで大量に製造することができるようになったので、移
動体通信を中心とする各種通信機器で多用されている。
【０００３】
ＡＴカット水晶振動子は、厚み滑り振動モード（Thickness Shear Mode）を主振動とし
て用いられることが多く、今日ではエネルギー閉じ込め型水晶振動子が主流となり広く用
いられている。
【０００４】
ここで、エネルギー閉じ込め型水晶振動子とは、水晶基板の励振用電極のない領域の周
波数をｆ’ｏ、励振用電極のある部分の共振周波数ｆｏ（励振用電極を付加したことによ
る質量負荷効果によりｆｏ＜ｆ’ｏとなっている）としたとき、励振用電極のある部分で
は波動は自由に伝搬するが、前記励振用電極のない部分（電極端近傍）に波動がくると水
晶基板の厚み方向に平行な面で反射を起こすので電極直下に定在波をつくりエネルギーが
閉じ込められ、励振用電極のない領域では振動エネルギーは指数関数的に減衰するという
ことを利用した水晶振動子であることは周知の通りである。
【０００５】
しかし、前記厚み滑り振動モードの共振周波数近傍には、他に厚み屈曲振動（Thicknes
s Flexural Mode）、縦振動（Longitudinal Mode）、輪郭滑り振動（Face Shear Mode）
等の不要な振動モードが存在することが知られている。これらの不要な振動モードは水晶
基板の輪郭寸法に依存し、厚み滑り振動により得られる所望共振周波数に悪影響を及ぼし
、それによって生ずる不要スプリアス、また温度変化に対する周波数及びＣＩ値（クリス
タル・インピーダンス＝水晶振動子の等価抵抗）の非連続的な変動、所謂、特異現象（An
omalous Activity Dip）等が問題となっていた。
【０００６】
上述の如き問題を抑制するための対策の一つとして、従来、水晶基板の周囲の面取り加
工を行うことが提案され広く実施されている。面取り加工した水晶基板の構造は、一般に
ベベル構造やコンベックス構造と呼ばれ、図１３（ａ）のは片面ベベル（プラノベベル）
、図１３（ｂ）のは両面ベベル（バイベベル）構造、図１４（ａ）のは片面コンベックス
（プラノコンベックス）、図１４（ｂ）のは両面コンベックス（バイコンベックス）の構
造が知られている。これら水晶基板の構造は、水晶基板中央部から長手方向端部に向かっ
て徐々に板厚を薄くした構造となっている。
【０００７】
これらの面取り加工はバレル研磨装置により行われ、バレル研磨装置には円筒パイプを
回転させるパイピング法、及び、円筒状や球状のバレル槽を公転或は自転させる高速遊星
旋回法などがある。これらバレル研磨装置に水晶基板と砥粒とを入れて槽を回転させて、
自重によって加圧された水晶基板と砥粒とを接触させその時の摩擦により水晶基板周囲を
研磨して面取り加工するものである。
【０００８】
上述の如く水晶基板の輪郭に面取り加工を施すことにより、主振動である厚み滑り振動
のエネルギーを閉じ込め、一方、厚み屈曲、縦、輪郭滑り等の副振動のエネルギーを大き
く弱めることができる。つまり、厚み滑り振動モードにおける振動エネルギーを励振電極
近傍に閉じ込めることが可能となり、更に水晶基板寸法等に起因する輪郭系振動モードな
どの不要スプリアスも抑圧し、良好な特性を有する水晶振動子を得ることができる。
【０００９】
一方、前述の主振動のエネルギーを閉じ込め、且つ、不要スプリアスの原因となる副振
動モードを抑圧するという効果の再現性を良くするためには、面取り加工の寸法精度のバ
ラツキを抑えて高精度な加工を維持する必要がある。
【発明の概要】
【発明が解決しようとする課題】
【００１０】
今日、携帯電話機等の通信機器の小型化によりそれに用いられる電子デバイスも小型化
が要求され、水晶振動子においても小型化の開発が進められ、水晶振動子の小型化に伴っ
て、それに用いられる水晶基板のサイズも小型化されている。
【００１１】
しかしながら、現在のバレル研磨装置は水晶基板の自重を利用して研磨を行うので、水
晶基板の小型化に伴い単位時間当たりの水晶基板の輪郭の加工量が減少し、それによって
研磨加工の時間は長くなり研磨効率が低下してしまうという問題があった。更に、砥粒は
湿度の影響を受け易く、わずかの湿気で砥粒が固まり易いため、単なる面取り加工では時
間による精度のコントロールが困難でありバラツキにも影響を及ぼし易いという問題があ
った。
故に、水晶基板の小型化による研磨加工の効率の低下、及び研磨加工の条件の変化（湿
度による砥粒への影響等）との複合要因により水晶基板の面取り加工による安定した品質
維持が非常に困難になってきた。
【００１２】
つまり、水晶基板の面取り加工寸法精度が低下すると水晶振動子の共振特性や周波数温
度特性のバラツキ、等価回路定数値のバラツキが生じ、小型の水晶振動子を量産する場合
、水晶基板の面取り加工精度の低下は顕著であり、歩留りの低下の大きな要因となってい
た。
本発明の目的は、上述した如き従来の面取り加工を要する圧電基板を用いた圧電振動子
の問題点に鑑みなされたものであって、エネルギー閉じ込めに必要な圧電基板の構造的な
加工を高精度に再現性良く実現し、且つ、量産における歩留りを向上せしめた圧電振動子
及びその製造方法を提供することにある。
【課題を解決するための手段】
【００１３】
上記課題を解決するために本発明に係る圧電振動子及びその製造方法の請求項１記載の
発明は、厚み滑り振動を主振動とする圧電振動子において、圧電基板両主面上中央部に励
振用電極を形成すると共に、前記圧電基板の厚み滑り振動の伝搬方向端部と前記励振用電
極との間に複数の溝を設けたことを特徴とする圧電振動子である。
【００１４】
請求項２記載の発明は、前記圧電振動子が短冊形であって、前記複数の溝が、前記圧電
基板の長辺と直交する線に対し所望の角度傾斜して設けられていることを特徴とする請求
項１記載の圧電振動子である。
【００１５】
請求項３記載の発明は、前記圧電振動子が短冊形であって、前記複数の溝が、前記圧電
基板の長辺と直交する線に対し所望の角度傾斜し、且つ、前記圧電基板長辺に平行し且つ
前記励振用電極のほぼ中央部を通過する線に対して線対称に設けられていることを特徴と
する請求項１記載の圧電振動子である。
【００１６】
請求項４記載の発明は、前記複数の溝が、前記圧電基板の対向する長辺から延在し、互
いに間挿するよう配置されていることを特徴とする請求項１記載の圧電振動子である。
【００１７】
請求項５記載の発明は、前記複数の溝が、前記圧電基板長辺から、前記圧電基板長辺に
平行し且つ前記励振用電極のほぼ中央部を通過する線付近まで延在することを特徴とする
請求項４記載の圧電振動子である。
【００１８】
請求項６記載の発明は、前記溝が、所定の曲率で前記励振用電極側に湾曲していること
を特徴とする請求項１記載の圧電振動子である。
【００１９】
請求項７記載の発明は、前記溝の長さが、前記励振用電極辺の長さ以上であることを特
徴とする請求項１，２，３，６記載の圧電振動子である。
【００２０】
請求項８記載の発明は、前記励振用電極の両側に位置し、該電極にもっとも近接した一
対の溝の圧電基板厚さ方向の深さは、他の溝の深さより浅いことを特徴とする請求項１，
２，３，６，７記載の圧電振動子である。
【００２１】
請求項９記載の発明は、前記複数の溝の圧電基板厚さ方向の深さは、前記励振用電極に
近い程浅く、圧電基板長手方向端部に近いほど深くしたことを特徴とする請求項８記載の
圧電振動子である。
【００２２】
請求項１０記載の発明は、前記励振用電極と圧電基板長手方向端部との間の所望の位置
にある溝の圧電基板厚さ方向の深さを他の溝の深さより深くしたことを特徴とする請求項
１乃至７記載の圧電振動子である。
【００２３】
請求項１１記載の発明は、前記励振用電極の両側に位置し、該電極にもっとも近接した
一対の溝及びその次に近接した一対の溝の圧電基板厚さ方向の深さは、他の溝の深さより
浅いことを特徴とする請求項４及び５記載の圧電振動子である。
【００２４】
請求項１２記載の発明は、前記励振用電極と圧電基板長手方向端部との間の所望の位置
にある隣り合う一組の溝と、該一組の溝とは前記励振用電極を挟んで対向する位置にある
他の隣り合う一組の溝の圧電基板厚さ方向の深さをそれ以外の溝の深さより深くしたこと
を特徴とする請求項１１記載の圧電振動子である。
【００２５】
請求項１３記載の発明は、厚み滑り振動を主振動とする圧電振動子において、圧電基板
両主面上中央部に励振用電極を形成すると共に、前記圧電基板の厚み滑り振動の伝搬方向
端部と前記励振用電極との間に複数の孔を設けたことを特徴とする圧電振動子である。
【００２６】
請求項１４記載の発明は、前記振動子が短冊形であって、前記複数の孔は、前記圧電基
板の短辺方向に列状に形成したことを特徴とする請求項１３記載の圧電振動子である。
【００２７】
請求項１５記載の発明は、前記振動子が短冊形であって、前記孔の列が、前記圧電基板
の長辺と直交する線に対し所望の角度傾斜していることを特徴とする請求項１４記載の圧
電振動子である。
【００２８】
請求項１６記載の発明は、前記振動子が短冊形であって、前記孔の列が、前記圧電基板
の長辺と直交する線に対し所望の角度傾斜し、且つ、前記圧電基板長辺方向に平行し且つ
前記励振用電極のほぼ中央部を通過する線に対して線対称に設けられていることを特徴と
する請求項１３又は１４記載の圧電振動子である。
【００２９】
請求項１７記載の発明は、前記複数の列が、前記圧電基板の対向する長辺から延在し、
互いに間挿するよう配置されていることを特徴とする請求項１３又は１４記載の圧電振動
子である。
【００３０】
請求項１８記載の発明は、前記複数の列が、前記圧電基板長辺から、前記圧電基板長辺
に平行し且つ前記励振用電極のほぼ中央部を通過する線付近まで延在することを特徴とす
る請求項１７記載の圧電振動子である。
【００３１】
請求項１９記載の発明は、前記列が、所望の曲率で前記励振用電極側に湾曲しているこ
とを特徴とする請求項１４記載の圧電振動子である。
【００３２】
請求項２０記載の発明は、前記孔が、千鳥格子状に配列したことを特徴とする請求項１
３記載の圧電振動子である。
【００３３】
請求項２１記載の発明は、前記列の長さが、前記励振用電極の長さ以上であることを特
徴とする請求項１４，１５，１６，１９記載の圧電振動子である。
【００３４】
請求項２２記載の発明は、前記励振用電極に近い前記孔の圧電基板厚さ方向の深さが、
他の孔の深さより浅いことを特徴とする請求項１３，２０記載の圧電振動子である。
【００３５】
請求項２３記載の発明は、前記励振用電極と圧電基板長手方向端部との間の所望の位置
にある複数の孔の圧電基板厚さ方向の深さを他の孔の深さより深くしたことを特徴とする
請求項１３，２０記載の圧電振動子である。
【００３６】
請求項２４記載の発明は、前記孔の圧電基板厚さ方向の深さを、前記励振用電極に近い
ほど浅く、圧電基板長手方向端部に近いほど深くしたことを特徴とする請求項１３，２０
記載の圧電振動子である。
【００３７】
請求項２５記載の発明は、前記励振用電極に近い前記列を構成する孔の圧電基板厚さ方
向の深さが、他の列に含まれる孔の深さより浅いことを特徴とする請求項１４，１５，１
６，１７，１８，１９記載の圧電振動子である。
【００３８】
請求項２６記載の発明は、前記列を構成する孔の圧電基板厚さ方向の深さを、前記励振
用電極に近い列の孔ほど浅く、圧電基板長手方向端部に近い列の孔ほど深くしたことを特
徴とする請求項１４，１５，１６，１７，１８，１９記載の圧電振動子である。
【００３９】
請求項２７記載の発明は、前記励振用電極と圧電基板長手方向端部との間の所望の位置
にある列を構成する孔の圧電基板厚さ方向の深さを他の列を構成する孔の深さより深くし
たことを特徴とする請求項１４，１５，１６，１９記載の圧電振動子である。
【００４０】
請求項２８記載の発明は、前記励振用電極にもっとも近接した一対の列及びその次に近
接した一対の列を構成する孔の圧電基板厚さ方向の深さが、他の列を構成する孔の深さよ
り浅いことを特徴とする請求項１７及び１８記載の圧電振動子である。
【００４１】
請求項２９記載の発明は、厚み滑り振動を主振動とする圧電振動子において、圧電基板
両主面上中央部に励振用電極を形成すると共に、前記圧電基板の厚み滑り振動の伝搬方向
端部と前記励振用電極との間に添加物を添加したことを特徴とする圧電振動子である。
【００４２】
請求項３０記載の発明は、前記添加物を、イオン打込み技術或は気相熱拡散技術を用い
て添加したことを特徴とする請求項２９記載の圧電振動子である。
【００４３】
請求項３１の発明は、単一のウェーハ上であって、圧電振動子の励振用電極と該圧電振
動子個片の長手方向端部との間に位置する部位に複数の溝または孔を形成する工程或は添
加物を添加する工程と、単一のウェーハ上であって、各圧電振動子個片に対応し、圧電振
動子個片の端部或は端部付近に位置する部位にスルーホールを形成する工程と、単一のウ
ェーハ上に圧電振動子個片の励振用電極及びリード電極を夫々複数形成する工程と、前記
スルーホールに導体膜を形成する工程と、前記単一のウェーハを複数の圧電振動子に分割
する工程とからなることを特徴とする圧電振動子の製造方法である。
【００４４】
請求項３２に発明は、上記溝または孔を形成する工程と上記スルーホールを形成する工
程とを同時に行うことを特徴とする請求項３１記載の圧電振動子の製造方法である。
【００４５】
請求項３３記載の発明は、上記励振用電極及びリード電極を形成する工程と上記スルー
ホールに導体膜を形成する工程とを同時に行うことを特徴とする請求項３１または３２記
載の圧電振動子の製造方法である。
【図面の簡単な説明】
【００４６】
【図１】本発明に係る実施形態を説明するための図であって、（ａ）は圧電振動子の斜視図、（ｂ）は圧電振動子をパッケージ内にマウントした状態を示す斜視図、（ｃ）はＡ−Ａ断面図である。
【図２】本発明に係る他の実施形態を説明するための図であって、（ａ）は圧電振動子の斜視図、（ｂ）は圧電振動子をパッケージ内にマウントした状態を示す斜視図、（ｃ）はＡ−Ａ断面図である。
【図３】（ａ）及び（ｂ）は、本発明に係る圧電振動子の励振用電極と圧電基板長手方向端部との間に形成する溝の構造を示す断面図である。
【図４】（ａ）及び（ｂ）は、圧電基板のエッチングの性質を説明するための断面図である。
【図５】（ａ）乃至（ｆ）は、圧電基板にフォトリソグラフィ技法とエッチング技法とを用いて溝を形成する手法を説明するための断面図である。
【図６】本発明に係る溝とスルーホールの一括形成を説明するための断面図である。
【図７】（ａ）乃至（ｅ）は、本発明に係る圧電基板に形成する溝パターンを説明するための平面図である。
【図８】（ａ）乃至（ｇ）は、本発明に係る圧電基板に形成する孔によるパターンを説明するための平面図である。
【図９】（ａ）乃至（ｃ）は、本発明に係る圧電基板に形成した溝または孔の深さを説明するための図である。
【図１０】（ａ）及び（ｂ）は、本発明に係る圧電基板にランダムに形成した孔の深さを説明するための図である。
【図１１】本発明に係る他の実施形態を説明するための図であって、（ａ）は圧電振動子の斜視図、（ｂ）は圧電振動子をパッケージ内にマウントした状態を示す斜視図、（ｃ）はＡ−Ａ断面図である
【図１２】（ａ）乃至（ｅ）は、本発明に係る圧電振動子の製造工程を説明するための図である。
【図１３】（ａ）及び（ｂ）は、従来のベベル構造を示す断面図である。
【図１４】（ａ）及び（ｂ）は、従来のコンベックス構造を示す断面図である。
【発明を実施するための形態】
【００４７】
以下、図示した実施の形態例に基づいて本発明を詳細に説明する。
図１は、本発明に係る圧電振動子の一例としてＡＴカット水晶振動子を示す図であって
、図１（ａ）は水晶振動子１の斜視図、図１（ｂ）は前記水晶振動子１をパッケージ２本
体内に実装した状態を示す斜視図、図１（ｃ）はそのＡ−Ａ断面図である。
この水晶振動子１は、短冊平板状のＡＴカット水晶基板の両主面に励振用電極３及びリ
ード電極４を導電性材料膜にて形成すると共に、パッケージ開口側のＡＴカット水晶基板
主面上リード電極４が延出する基板端部に切欠き部を設けた凹所５の内壁にリード電極４
と接続する導体膜６を有している。導体膜６はリード電極４の延長上にあって反対側の主
面にまで到達している。凹所５をスルーホール７とすることによって上側のリード電極４
を下面付近にまで延在することができる。
【００４８】
更に、前記励振用電極３とＡＴカット水晶基板長手方向端部との間に、前記基板長手方
向端部と平行な励振用電極辺８に平行に複数の溝９を形成している。これらの溝の深さは
、前記励振用電極から前記基板長手方向端部に向かって徐々に深くなっている。
【００４９】
尚、前記スルーホール７は図２に示すような実施形態を用いてもよい。図２（ａ）は、
水晶振動子１４の斜視図であって励振用電極１０とＡＴカット水晶基板長手方向端部との
間に穴状のスルーホール１１を設けて前記励振用電極１０からリード電極１２を当該スル
ーホール１１まで延出し、他方の面に貫通したスルーホール１１内に形成した導体膜１３
に接続している。図２（ｂ）は、水晶振動子１４をパッケージ１５本体内に実装した状態
を示す斜視図、図２（ｃ）はそのＡ−Ａ断面図である。
【００５０】
前記穴状のスルーホール１１を水晶基板の両端側付近に設け、下面側のリード電極を上
面まで延在するようにすれば、水晶振動子１４をパッケージ１５本体内に実装する際に上
下の方向性がなくなり、いずれの面を下向きにしても接続できるようになるので作業性が
向上する。尚、図１に示した凹陥状のスルーホール７を水晶基板両端側に設け、水晶振動
子の上下方向性をなくすことも可能である。
【００５１】
図１（ｂ）のパッケージ２内に形成された凹陥部の段差上に形成されたパッド１６に対
して各リード電極４を接続する際には、水晶基板下面に形成したリード電極４については
パッド１６に載置して導電性接着剤或は半田（バインダ）にて接続を行い、上側のリード
電極４についてはスルーホール７内の導電膜６と他方のパッド１７とを導電性接着剤等１
８により接続する。従って、上下のリード電極４を各パッド１６，１７に対して接続する
作業において、夫々一回の導電性接着剤等１８の塗布により完了できるので生産性を向上
することができる。
【００５２】
ここで、ＡＴカット水晶基板上に形成した複数の溝について、以下詳細に説明する。図
１及び図２に示した水晶振動子は、平行平板の水晶基板の両主面の中央部に配置された励
振用電極と水晶基板長手方向端部との間に、所定の間隔で複数個の溝９が形成されている
。当該溝９は、水晶基板にフォトリソグラフィ技法とエッチング技法とを用いて形成して
おり、溝９の深さを基板の長手方向端部へ近づくほど深くした構造としている。
【００５３】
上述した構造とすることにより図３（ａ）に示すように、水晶基板２０（実線で示した
）は点線で示したバイベベル構造１９の水晶基板と擬似的に等価となり、水晶基板端部へ
の主振動モード（ここでは、厚みすべり振動モード）の振動エネルギーの漏洩を防止し、
スプリアスの要因となる副振動モードを抑圧せしめ、励振用電極部直下に主振動モードの
振動エネルギーを閉じ込めることができる。
【００５４】
尚、図３（ｂ）に示すように、複数個設けた溝のうち励振用電極３に近接した溝２１を
除いて、少なくとも一の溝２２の深さを他の溝の深さより深くして、点線２３で示した如
く所定の部位を絞り込んだ構造としても良い。この場合、溝が深い部位で振動エネルギー
を閉じ込めることができる。また、こうした構造とすることにより水晶基板長手方向端部
に近接した溝２４において、導電性接着剤等の励振用電極３への流れ込みを防ぐことがで
きるという効果も得られる。
【００５５】
ここで、互いに深さの異なる複数の溝を一括処理にてフォトリソグラフィ技法とエッチ
ング技法により形成する手段について詳細に述べる。
水晶基板は、結晶軸方向により異方性を有するため、図４（ａ）に示すようにエッチン
グを行い溝を形成したとき、Ｘ軸方向に溝の断面を観察すると溝の側壁２５，２６の傾斜
度は、エッチング終点で夫々θ１，θ２となる性質を有している。
【００５６】
図４（ｂ）に示す如く溝側壁の傾斜度は、フォトリソグラフィ技法で形成した保護膜２
７で覆われていないエッチングすべき開口幅ｓの部位をエッチングする過程で傾斜度θ１
，θ２が形成されるまで、深さ（水晶基板厚さ）方向に向かってエッチングは進行し、深
さｄの点Ｃに到達したとき、つまり傾斜度θ１＝ｔａｎ-1（ＣＰ／ＡＰ），θ２＝ｔａｎ
-1（ＣＱ／ＢＱ）の側壁２５，２６の形成が完了した時点でエッチングの終点となり、そ
れ以降はエッチングは進行しない。
【００５７】
即ち、開口幅ｓの大きさによって側壁の形成時間（エッチング終点時間）が異なるため
、それによって深さｄが変わってくる。
【００５８】
本願出願人は、この性質に着眼してエネルギー閉じ込め型水晶振動子の設計に際し、図
４（ａ）に示す如く開口幅ｓ１≠ｓ２とすれば、深さｄ１≠ｄ２となることを利用して、
深さの相異なる複数の溝をフォトリソグラフィ技法とエッチング技法を用いて一括処理す
ることを可能せしめ、所望の特性を満足する水晶振動子の実現に至った。
【００５９】
以下に、水晶基板上に溝をフォトリソグラフィ技法とエッチング技法とにより一括形成
する手法について図５を用いて説明する。
水晶基板２８を用意し（図５（ａ））、両主面上に保護膜２９を塗布する（図５（ｂ）
）。フォトリソグラフィにより溝に対応する部位に穴３０の開いたマスク等の露光手段３
１を用いて保護膜２９を露光し（図５（ｃ））、現像を行い溝を形成する所定の部位のみ
水晶基板を露出させる（図５（ｄ））。エッチングにより複数の溝３２を一括形成し（図
５（ｅ））、保護膜２９を剥離する（図５（ｆ））。
【００６０】
ここで、前述の水晶基板のエッチングの性質を更に応用し、励振用電極から延出したリ
ード電極を他方の面へ導出するためのスルーホールの形成も前述の溝形成工程にて一括形
成にて処理することができる。
即ち、図６に示す如く、上述の水晶基板のエッチングの性質を考慮して、溝幅ｓに対し
てスルーホール３３の開口断面幅ｔを、ｓ＜＜ｔとすれば、水晶基板の両主面からエッチ
ングを同時または交互に行うことによって、水晶基板厚さ方向の中心で夫々のスルーホー
ル形成部位に形成される凹陥底部を互いに到達させ貫通させることができる。
【００６１】
前記スルーホール３３が形成されるまでには、溝３２は溝幅ｓがスルーホール開口幅ｔ
に比して極めて小さいので、所定の傾斜度θｓをもって既にエッチング終点に到達してい
るので、溝３２とスルーホール３３は一括形成にて処理が可能となる。
尚、溝３２の側壁傾斜度θｓとスルーホール３３の側壁傾斜度θｔとの関係は、θｓ＝
θｔであることは言うまでもない。
【００６２】
次に、図７及び図８を用いて本発明に係る水晶振動子の他の実施例について説明する。
図７（ａ）は、励振用電極辺３４にほぼ平行な溝３５であって溝３５の長さを電極辺３４
以上としたパターン、図７（ｂ）は、圧電基板長辺と直交する線から、圧電基板長手方向
端部３７に向けて所望の角度傾斜して形成した溝３８のパターン、図７（ｃ）は、圧電基
板主面上で圧電基板長辺３６と直交する線から、圧電基板長手方向端部３７に向けて所望
の角度傾斜し、且つ、圧電基板長手方向に平行し、励振用電極のほぼ中央を通過する線に
対して線対称となるよう形成した溝３９のパターン、図７（ｄ）は、圧電基板の対向する
長辺３６から延在し、且つ、圧電基板長手方向端部３７に向けて所望の角度傾斜させて互
いに間挿するように形成した溝４０のパターン、図７（ｅ）は、圧電基板短辺の二等分線
３８上の所望部位から所望の曲率で励振用電極３側に湾曲して形成した溝４１のパターン
である。
【００６３】
図８（ａ）は、圧電基板長手方向端部３７と前記励振用電極３との間に複数の孔４２を
設け、孔４２が短辺３７方向に列状になっているパターン、図８（ｂ）は、圧電基板長辺
３６と直交する線から、圧電基板長手方向端部３７に向けて所望の角度傾斜して形成した
列状の孔４３のパターン、図８（ｃ）は、圧電基板長辺３６と直交する線から、圧電基板
長手方向端部３７に向けて所望の角度傾斜し、且つ、圧電基板長手方向に平行し、励振用
電極３のほぼ中央部を通過する線に対して線対称となるよう形成した列状の孔４４のパタ
ーン、図８（ｄ）は、圧電基板長辺３６から延在し、且つ、圧電基板長手方向端部３７に
向けて所望の角度傾斜させて互いに間挿するように形成した列状の孔４５のパターン、図
８（ｅ）は、圧電基板短辺３７の二等分線上の所望部位から所望の曲率で前記励振用電極
３側に湾曲して形成した列状の孔４６のパターン、図８（ｆ）は、圧電基板長手方向端部
３７と前記励振用電極３との間に千鳥格子状に配列してなる複数の列状の孔４７からなる
パターン、図８（ｇ）は、圧電基板長手方向端部３７と前記励振用電極３との間にランダ
ムに形成した孔４８からなるパターンである。
【００６４】
ここで、前述の変形実施例で示したＡＴカット水晶基板上に形成する溝または孔のパタ
ーンの深さは、図９（ａ）に示す如く溝または孔の深さｄ１を一定とした構造や、図９（
ｂ）に示す如く励振用電極３にもっとも近接した溝または孔の深さｄ２を他の溝より浅い
ことを特徴とした構造や、図９（ｃ）に示す如く励振用電極３から水晶基板長手方向端部
３７に向かって溝または孔の深さを暫時大きくした（ｄ３＜ｄ４＜ｄ５）ことを特徴とし
た構造が考えられる。
【００６５】
尚、図８（ｇ）のランダムに設けた孔４８の場合、その孔４８の深さは、図１０（ａ）
に示すように圧電基板短辺３７方向の励振用電極３の端部に平行な位置４９を基準とし、
該基準位置４９から孔の中心までの距離ｘにおいて、当該距離が圧電基板長手方向端部に
近づくにしたがって、図１０（ｂ）の如く孔の深さｙを適宜設定すれば良い。
【００６６】
また、上記変形実施例における溝または孔の形成においても、水晶基板にフォトリソグ
ラフィ技法とエッチング技法とを用いれば容易に形成することができるは言うまでもない
。
【００６７】
更に、エネルギー閉じ込め型振動子の設計にあたって、上述の溝または孔のパターンの
選定及び溝または孔の深さの設定は、エネルギー閉じ込めに要する励振用電極の電極膜厚
や電極寸法を考慮して、設計者の設計思想に基づいて適宜設定すれば良い。
【００６８】
上述の如く、溝または孔の加工をフォトリソグラフィ技法とエッチング技法を用いるこ
とにより、当該溝または孔の寸法や位置を高精度に形成せしめ、更に量産においても好適
な加工手段であるので、従来の小型水晶基板の面取り加工に比して加工バラツキを極めて
抑制することができ、且つ、再現性も優れているので、水晶振動子の共振特性や温度特性
等の諸特性のバラツキや等価回路定数値のバラツキも低減することができる。
【００６９】
次に、励振用電極と水晶基板長手方向端部との間に添加物（dopant）を添加する（dopi
ng）ことにより水晶基板の励振用電極直下の振動領域にエネルギーを閉じ込める手法につ
いて以下説明する。
【００７０】
ＡＴカット水晶振動子の励振用電極へ電圧を印加すると、その振動レスポンスには、主
振動モードである厚味滑り振動とスプリアスの要因となる輪郭滑り振動等の副振動モード
とが混在するという問題があり、これを解決するためにＡＴカット水晶基板の一部分にの
み励振用電極を形成し、且つ、ＡＴカット水晶基板の、特に小型の水晶基板において励振
用電極と基板長手方向端部との間に溝または孔を設けることによって、励振用電極直下に
主振動のエネルギーを閉じ込め、副振動モードを抑圧せしめた優れた水晶振動子を実現し
得るのは前述の通りである。
【００７１】
本願出願人は、更に本願発明に係る他の実施例として、図１１に示すように気相熱拡散
技術やＬＳＩの製造等で広く用いられているイオン打込み（Ion Implantation）技術を応
用して、励振用電極３と水晶基板長手方向端部３７との間にドーピング層５０を形成する
ことによって、励振用電極直下に主振動のエネルギーを閉じ込め、副振動を抑圧した水晶
振動子が実現できることに思い至った。
【００７２】
ここでは、イオン打込みを用いたドーピング層５０の形成について以下詳細に説明する
。
イオン打込み技術は、添加物をイオン化し更にそれを加速してイオンビームとしてＬＳ
Ｉで用いられるシリコン等の基板中へ叩き込む技術であって、イオンビームのエネルギー
を数百ｅＶ以上とすると基板へ照射されたイオンは表面層に入り込み、基板表面の原子を
真空中へたたき出す、所謂スパッタリング現象が発生する。更に、加速電圧を上昇させて
いくと、イオンは基板表面から基板厚さ方向へ更に深くまで入り込んでいく。
【００７３】
イオン打込み装置は、質量分析計が付いているので特定のイオン種だけを選択して打込
むことができるので、同一の添加物元素に対して、打込み深さや量に応じて異なるイオン
種を選択できる。また、打込まれるイオンの量もイオン電流として、基板に流れる電流を
測定することで正確に求められ、打込み深さもイオン種と加速電圧で決まるので、添加物
の量及び深さ共に制御できる。
従って、水晶振動子の量産工程においてもイオン打込み手法は好適な工法である。
【００７４】
ＡＴカット水晶基板の励振用電極３と水晶基板長手方向端部３７との間にドーピング層
５０を形成するには、先ず、ＡＴカット水晶基板主面上へ保護膜を塗布し、フォトリソグ
ラフィ技法によりドーピング層形成領域のみ水晶基板を露出させる。ボロン（Ｂ）やリン
（Ｐ）等の添加物を適宜選定し、イオン打込みによりドーピングを行いドーピング層を形
成後保護膜を剥離する。
【００７５】
前述の処理を行うことによって、図１１に示すように励振用電極直下のＡＴカット水晶
基板の両側に形成されたドーピング層５０により主振動モードのエネルギーのみを前記励
振用電極直下領域に閉じ込めることができ、副振動モードは抑圧され、優れた振動特性を
備えた水晶振動子５１を実現することができる。
【００７６】
尚、前述した図１１の水晶振動子５１は、励振用電極３とドーピング層５０の境界付近
で波動を反射させ所望のエネルギーを閉じ込めた構造としているが、他の実施例として、
所望のエネルギーを閉じ込め、面取り加工と同等の効果を得るためにドーピング層形成領
域の断面の深さを溝や孔を形成した場合と等価となるよう設定してもよい。
即ち、溝や孔に代えてドーピング層形成領域を形成することにより、溝や孔を設けた場
合と同様の効果を得ることができる。
【００７７】
次に、上述した如き本発明に係る水晶振動子の製造方法について図１２に基づいて説明
する。尚、ここで一例として図１に示したＡＴカット水晶振動子を製造する方法について
図示説明するが、図１以外に示した溝または孔を形成した水晶基板を有する水晶振動子に
ついての製造手順は図１の水晶振動子の製造手順に準じるものである。
【００７８】
先ず、図１２（ａ）の如く個片５２となる部分が未分離で複数連結された状態にある単
一のウェーハ５３を準備する。図１２（ｂ）は、単一のウェーハ５３上の各個片５２の励
振用電極３と該個片の長手方向端部３７との間に位置する部位に複数の溝９をフォトリソ
グラフィ技法とエッチング技法により形成する工程である。図１２（ｃ）は、単一のウェ
ーハ５３上であって、各個片５２に対応し個片５２の端部３７に位置する部位にスルーホ
ール７を形成する工程である。スルーホール７の位置は各個片において定められた位置と
する。この例では各個片５２間の境界線５４に沿った位置とする。
【００７９】
図１２（ｄ）は、電極形状がかたどられたマスク等の手段を用いた真空蒸着やスパッタ
成膜、或はフォトリソグラフィ技法等を用いて、励振用電極３、該励振用電極３から延出
するリード電極４を形成する工程である。
尚、この工程と同時に、或は前後してスルーホールの内壁の適所に導体膜６を形成して
一方のリード電極４との導通を確保する。
【００８０】
図１２（ｅ）は、複数の個片５２が連結された単一のウェーハ５３をダイシング・ソー
等の切断手段を用いて個片５２に分割する工程である。斯かる製造手順により図に示した
ＡＴカット水晶振動子５２（１）が完成する。
【００８１】
図２のような点対称に位置する２つの穴状のスルーホールを有する水晶振動子の場合に
は、個片を複数連結した単一ウェーハの各個片の境界線５４上から内側寄りの位置にスル
ーホール１１を形成することとなる。更に、図１２（ｂ）の溝または孔の形成工程と図１
２（ｃ）のスルーホールの形成とを同時に行うことは前述の通り水晶基板のエッチングの
性質を利用することにより可能であり、リードタイム短縮に寄与する。
【００８２】
また、図１１に示すような励振用電極３と水晶基板長手方向端部３７との間にドーピン
グ層５０を形成した水晶振動子５１の場合には、図１２（ｂ）の溝または孔の形成工程を
水晶基板の励振用電極３と水晶基板長手方向端部３７との間に添加物をイオン打込み装置
により添加する工程に置き換えれば良い。尚、斯かるドーピング層５０の形成工程は、図
１２（ｃ）のスルーホール形成工程と前後してもかまわない。
【００８３】
上述したごとき本発明に係る水晶振動子は、今日の小型の水晶振動子に用いられる小型
の水晶基板に面取り加工と同等な溝または孔加工をフォトリソグラフィ技法とエッチング
技法とにより、高精度にバラツキ無く、且つ、安定した再現性とによって実現し得るので
、共振特性や温度特性等の諸特性及び等価回路定数値のバラツキを抑制せしめたエネルギ
ー閉じ込め型水晶振動子を提供できる。
【００８４】
また、励振用電極と水晶基板長手方向端部との間にドーピング層を形成することによっ
て、励振用電極直下に主振動のエネルギーのみを閉じ込めることが可能となったので、上
述と同様に共振特性や温度特性等の諸特性及び等価回路定数値のバラツキを抑制せしめた
エネルギー閉じ込め型水晶振動子を提供できる。
【００８５】
更に、本発明に係る水晶振動子の製造方法は量産において極めて好適であり、バラツキ
が無く歩留りも高いので、量産性の極めて高い製造方法を提供できる。
【００８６】
以上、ＡＴカット水晶基板を用いた圧電振動子及びその製造方法を本発明の実施例とし
て説明したが、本発明はこれに限定されるものではなく、他の圧電材料、例えばランガサ
イト（Ｌａ3Ｇａ5ＳｉＯ14）や四ホウ酸リチウム（Ｌｉ2Ｂ4Ｏ7）、圧電セラミック基板
などの圧電材料についても本発明を適用することができるのは言うまでもない。
【００８７】
（発明の効果）
本発明に係る圧電振動子及びその製造方法は、以上説明した如く構成したので下記の如
く優れた効果を奏する。
請求項１乃至２８の発明は、今日の小型の圧電振動子に用いられる小型の圧電基板に面
取り加工と同等な溝または孔加工をフォトリソグラフィ技法とエッチング技法とにより、
高精度にバラツキ無く、且つ、安定した再現性とによって実現し得るので、共振特性や温
度特性等の諸特性及び等価回路定数値のバラツキを抑制せしめたエネルギー閉じ込め型圧
電振動子を提供できるという優れた効果を奏する。
【００８８】
請求項２９および３０の発明は、励振用電極と圧電基板長手方向端部との間にドーピン
グ層を形成することによって、励振用電極直下に主振動のエネルギーのみ閉じ込めること
を可能せしめたので、共振特性や温度特性等の諸特性及び等価回路定数値のバラツキを抑
制せしめたエネルギー閉じ込め型圧電振動子を提供することができるという優れた効果を
奏する。
【００８９】
請求項３１の発明は、圧電振動子をバッチ処理にてバラツキの無い、且つ、高い歩留り
で製造することが可能であるので大量生産において極めて好適であるという優れた効果を
奏する。
【００９０】
請求項３２の発明は、溝また孔の形成工程とスルーホール形成工程とを同時に行うこと
ができるので、リードタイムを短縮をすることができるため生産効率を高めることに優れ
た効果を奏する。
【００９１】
請求項３３の発明は、励振用電極とリード電極を形成する工程とスルーホールに導電膜
を形成する工程とを同時に行うことができるので、リードタイムを短縮することができる
ため生産効率を高めることに優れた効果を奏する。
【符号の説明】
【００９２】
１  圧電振動子、２  パッケージ、３  励振用電極、４  リード電極、５  切欠き部、
６  導電膜、７  スルーホール、８  励振用電極辺、９  溝、１０  励振用電極、１１  
スルーホール、１２  リード電極、１３  導電膜、１４  圧電振動子、１５  パッケージ
、１６  パッド、１７  パッド、１８  導電性接着剤、１９  点線、２０  圧電基板、２
１  溝、２２  溝、２３  点線、２４  溝、２５  側壁、２６  側壁、２７  保護膜、２
８  圧電基板、２９  保護膜、３０  穴、３１  マスク、３２  溝、３３  スルーホール
、３４  励振用電極辺、３５  溝、３６  長辺、３７  短辺、３８  溝、３９  溝、４０
溝、４１  溝、４２  孔、４３  孔、４４  孔、４５  孔、４６  孔、４７  孔、４８
孔、４９  基準線、５０  ドーピング層、５１  圧電振動子、５２  個片、５３  単一
ウェーハ、５４  境界線。
【図１】
2011097623.tif 000003
【図２】
2011097623.tif 000004
【図３】
2011097623.tif 000005
【図４】
2011097623.tif 000006
【図５】
2011097623.tif 000007
【図６】
2011097623.tif 000008
【図７】
2011097623.tif 000009
【図８】
2011097623.tif 000010
【図９】
2011097623.tif 000011
【図１０】
2011097623.tif 000012
【図１１】
2011097623.tif 000013
【図１２】
2011097623.tif 000014
【図１３】
2011097623.tif 000015
【図１４】
2011097623.tif 000016
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、
前記ＡＴカット水晶基板の表裏の主面上に対向するように夫々設けられた励振用電極と、を備え、
前記ＡＴカット水晶基板の外形は主表面が矩形の短冊であり、
前記短冊の短辺と前記励振用電極との間にエッチングにより構成した複数の溝を設け、
前記溝を構成する一対の側壁は、水晶の結晶軸方向の異方性により前記Ｙ′軸に対して傾斜しており、
前記溝の前記Ｙ′軸に平行な方向の深さは前記一対の側壁が交わる点までの深さとしたことを特徴とする圧電振動子。
【請求項２】
前記複数の溝は、各々開口部の前記短冊の長辺に平行な方向の幅を異ならせて、前記Ｙ′軸に平行な方向の深さを異ならせたことを特徴とする請求項１に記載の圧電振動子。
【請求項３】
前記溝の開口部が、所定の曲率で前記励振用電極側に湾曲していることを特徴とする請求項１又は２に記載の圧電振動子。
【請求項４】
前記短冊の短辺に平行な方向の前記溝の長さは、前記励振用電極の前記短冊の短辺に平行な方向の辺の長さ以上であることを特徴とする請求項１乃至３のいずれか１項に記載の圧電振動子。
【請求項５】
前記励振用電極にもっとも近い溝の前記Ｙ′軸に平行な方向の深さは、
他の溝の深さより浅いことを特徴とする請求項２乃至４のいずれか１項に記載の圧電振動子。
【請求項６】
前記複数の溝の前記Ｙ′軸に平行な方向の深さは、前記励振用電極に近い溝程浅く、
前記短冊の短辺に近い溝ほど深くしたことを特徴とする請求項５に記載の圧電振動子。
【請求項７】
水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、
前記ＡＴカット水晶基板の表裏の主面上に対向するように夫々設けられた励振用電極と、を備え、
前記ＡＴカット水晶基板の外形は主表面が矩形の短冊であり、
前記短冊の短辺と前記励振用電極との間に複数の溝を設け、
前記複数の溝は、前記短冊の対向する長辺から延在し、互いに間挿するよう配置され、
前記励振用電極と前記短冊の短辺との間の所望の位置にある溝の前記Ｙ′軸に平行な方向の深さを他の溝の深さより深くしたことを特徴とする圧電振動子。
【請求項８】
水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、
前記ＡＴカット水晶基板の表裏の主面上に対向するように夫々設けられた励振用電極と、を備え、
前記ＡＴカット水晶基板の外形は主表面が矩形の短冊であり、
前記短冊の短辺と前記励振用電極との間に複数の溝を設け、
前記複数の溝は、前記短冊の対向する長辺から延在し、互いに間挿するよう配置され、
前記励振用電極にもっとも近い溝及びその次に近い溝の前記Ｙ′軸に平行な方向の深さは、他の溝の深さより浅いことを特徴とする圧電振動子。
【請求項９】
前記複数の溝は、前記短冊の対向する長辺から、
前記短冊の対向する長辺に平行し且つ前記励振用電極のほぼ中央部を通過する中心線付近まで延在することを特徴とする請求項７又は８に記載の圧電振動子。
【請求項１０】
前記短冊の短辺に切り欠き部を設け、
前記励振電極より前記短辺にリード電極を延在し、
前記切り欠きの内壁に導体膜を有し、
前記リード電極は、前記導体膜と電気的に接続されていることを特徴とする請求項１乃至９のいずれか１項に記載の圧電振動子。
【請求項１１】
前記短冊の短辺と、前記複数の溝の内の前記短辺に最も近い溝との間に、貫通孔を設け、前記励振電極より前記貫通孔にリード電極を延在し、
前記貫通孔の内壁に導体膜を有し、
前記リード電極は、前記導体膜と電気的に接続されていることを特徴とする請求項１乃至９のいずれか１項に記載の圧電振動子。
【請求項１２】
前記短冊を構成する第１の一対の辺は前記Ｘ軸に平行であり、第２の一対の辺は前記Ｚ′軸に平行であり、
前記短冊の長辺が前記Ｘ軸に平行な辺であり、
前記短冊の短辺が前記Ｚ′軸に平行な辺であることを特徴とする請求項１乃至１１のいずれか１項に記載の圧電振動子。
【請求項１３】
水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、
前記ＡＴカット水晶基板の表裏の主面上に対向するように夫々設けられた励振用電極と、を備え、
前記ＡＴカット水晶基板の外形は主表面が矩形の短冊であり、
前記短冊の短辺と前記励振用電極との間に添加物を添加し、
前記励振用電極と前記短冊の短辺との間にドーピング層を設け、前記ドーピング層により前記Ｘ軸方向に前記励振用電極直下の振動領域を挟み込んだことを特徴とする圧電振動子。
【請求項１４】
前記添加物は、イオン打ち込み技術或いは気相熱拡散技術を用いて添加したことを特徴とする請求項１３に記載の圧電振動子。
【請求項１５】
前記短冊を構成する第１の一対の辺は前記Ｘ軸に平行であり、第２の一対の辺は前記Ｚ′軸に平行であり、
前記短冊の長辺が前記Ｘ軸に平行な辺であり、
前記短冊の短辺が前記Ｚ′軸に平行な辺であることを特徴とする請求項１３又は１４に記載の圧電振動子。
【手続補正３】
【補正対象書類名】明細書
【補正対象項目名】００１３
【補正方法】変更
【補正の内容】
【００１３】
上記課題を解決するために本発明に係る圧電振動子は、以下の構成をとる。
本発明の第１の形態は、水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、前記ＡＴカット水晶基板の表裏の主面上に対向するように夫々設けられた励振用電極と、を備え、前記ＡＴカット水晶基板の外形は主表面が矩形の短冊であり、前記短冊の短辺と前記励振用電極との間にエッチングにより構成した複数の溝を設け、前記溝を構成する一対の側壁は、水晶の結晶軸方向の異方性により前記Ｙ′軸に対して傾斜しており、前記溝の前記Ｙ′軸に平行な方向の深さは前記一対の側壁が交わる点までの深さとしたことを特徴とする。
本発明の第２の形態は、前記複数の溝は、各々開口部の前記短冊の長辺に平行な方向の幅を異ならせて、前記Ｙ′軸に平行な方向の深さを異ならせたことを特徴とする。
本発明の第３の形態は、前記溝の開口部が、所定の曲率で前記励振用電極側に湾曲していることを特徴とする。
本発明の第４の形態は、前記短冊の短辺に平行な方向の前記溝の長さは、前記励振用電極の前記短冊の短辺に平行な方向の辺の長さ以上であることを特徴とする。
本発明の第５の形態は、前記励振用電極にもっとも近い溝の前記Ｙ′軸に平行な方向の深さは、他の溝の深さより浅いことを特徴とする。
本発明の第６の形態は、前記複数の溝の前記Ｙ′軸に平行な方向の深さは、前記励振用電極に近い溝程浅く、前記短冊の短辺に近い溝ほど深くしたことを特徴とする。
本発明の第７の形態は、水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、前記ＡＴカット水晶基板の表裏の主面上に対向するように夫々設けられた励振用電極と、を備え、前記ＡＴカット水晶基板の外形は主表面が矩形の短冊であり、前記短冊の短辺と前記励振用電極との間に複数の溝を設け、前記複数の溝は、前記短冊の対向する長辺から延在し、互いに間挿するよう配置され、前記励振用電極と前記短冊の短辺との間の所望の位置にある溝の前記Ｙ′軸に平行な方向の深さを他の溝の深さより深くしたことを特徴とする。
本発明の第８の形態は、水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、前記ＡＴカット水晶基板の表裏の主面上に対向するように夫々設けられた励振用電極と、を備え、前記ＡＴカット水晶基板の外形は主表面が矩形の短冊であり、前記短冊の短辺と前記励振用電極との間に複数の溝を設け、前記複数の溝は、前記短冊の対向する長辺から延在し、互いに間挿するよう配置され、前記励振用電極にもっとも近い溝及びその次に近い溝の前記Ｙ′軸に平行な方向の深さは、他の溝の深さより浅いことを特徴とする。
本発明の第９の形態は、前記複数の溝は、前記短冊の対向する長辺から、前記短冊の対向する長辺に平行し且つ前記励振用電極のほぼ中央部を通過する中心線付近まで延在することを特徴とする。
本発明の第１０の形態は、前記短冊の短辺に切り欠き部を設け、前記励振電極より前記短辺にリード電極を延在し、前記切り欠きの内壁に導体膜を有し、前記リード電極は、前記導体膜と電気的に接続されていることを特徴とする。
本発明の第１１の形態は、前記短冊の短辺と、前記複数の溝の内の前記短辺に最も近い溝との間に、貫通孔を設け、前記励振電極より前記貫通孔にリード電極を延在し、前記貫通孔の内壁に導体膜を有し、前記リード電極は、前記導体膜と電気的に接続されていることを特徴とする。
本発明の第１２の形態は、前記短冊を構成する第１の一対の辺は前記Ｘ軸に平行であり、第２の一対の辺は前記Ｚ′軸に平行であり、前記短冊の長辺が前記Ｘ軸に平行な辺であり、前記短冊の短辺が前記Ｚ′軸に平行な辺であることを特徴とする。
本発明の第１３の形態は、水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ′軸とし、前記Ｙ軸を前記Ｚ軸の＋Ｚ方向へ傾けた軸をＹ′軸とし、前記Ｘ軸と前記Ｚ′軸に平行な面で構成され、前記Ｙ′軸に平行な方向を厚みとし、厚み滑り振動を主振動とするＡＴカット水晶基板と、前記ＡＴカット水晶基板の表裏の主面上に対向するように夫々設けられた励振用電極と、を備え、前記ＡＴカット水晶基板の外形は主表面が矩形の短冊であり、前記短冊の短辺と前記励振用電極との間に添加物を添加し、前記励振用電極と前記短冊の短辺との間にドーピング層を設け、前記ドーピング層により前記Ｘ軸方向に前記励振用電極直下の振動領域を挟み込んだことを特徴とする。
本発明の第１４の形態は、前記添加物は、イオン打ち込み技術或いは気相熱拡散技術を用いて添加したことを特徴とする。
本発明の第１５の形態は、前記短冊を構成する第１の一対の辺は前記Ｘ軸に平行であり、第２の一対の辺は前記Ｚ′軸に平行であり、前記短冊の長辺が前記Ｘ軸に平行な辺であり、前記短冊の短辺が前記Ｚ′軸に平行な辺であることを特徴とする。
［適用例１］本適用例は、厚み滑り振動を主振動とする圧電振動子において、圧電基板両主面上中央部に励振用電極を形成すると共に、前記圧電基板の厚み滑り振動の伝搬方向端部と前記励振用電極との間に複数の溝を設けたことを特徴とする圧電振動子である。
【手続補正４】
【補正対象書類名】明細書
【補正対象項目名】００１４
【補正方法】変更
【補正の内容】
【００１４】
［適用例２］本適用例は、前記圧電振動子が短冊形であって、前記複数の溝が、前記圧電基板の長辺と直交する線に対し所望の角度傾斜して設けられていることを特徴とする圧電振動子である。
【手続補正５】
【補正対象書類名】明細書
【補正対象項目名】００１５
【補正方法】変更
【補正の内容】
【００１５】
［適用例３］本適用例は、前記圧電振動子が短冊形であって、前記複数の溝が、前記圧電基板の長辺と直交する線に対し所望の角度傾斜し、且つ、前記圧電基板長辺に平行し且つ前記励振用電極のほぼ中央部を通過する線に対して線対称に設けられていることを特徴とする圧電振動子である。
【手続補正６】
【補正対象書類名】明細書
【補正対象項目名】００１６
【補正方法】変更
【補正の内容】
【００１６】
［適用例４］本適用例は、前記複数の溝が、前記圧電基板の対向する長辺から延在し、互いに間挿するよう配置されていることを特徴とする圧電振動子である。
【手続補正７】
【補正対象書類名】明細書
【補正対象項目名】００１７
【補正方法】変更
【補正の内容】
【００１７】
［適用例５］本適用例は、前記複数の溝が、前記圧電基板長辺から、前記圧電基板長辺に平行し且つ前記励振用電極のほぼ中央部を通過する線付近まで延在することを特徴とする圧電振動子である。
【手続補正８】
【補正対象書類名】明細書
【補正対象項目名】００１８
【補正方法】変更
【補正の内容】
【００１８】
［適用例６］本適用例は、前記溝が、所定の曲率で前記励振用電極側に湾曲していることを特徴とする圧電振動子である。
【手続補正９】
【補正対象書類名】明細書
【補正対象項目名】００１９
【補正方法】変更
【補正の内容】
【００１９】
［適用例７］本適用例は、前記溝の長さが、前記励振用電極辺の長さ以上であることを特徴とする圧電振動子である。
【手続補正１０】
【補正対象書類名】明細書
【補正対象項目名】００２０
【補正方法】変更
【補正の内容】
【００２０】
［適用例８］本適用例は、前記励振用電極の両側に位置し、該電極にもっとも近接した一対の溝の圧電基板厚さ方向の深さは、他の溝の深さより浅いことを特徴とする圧電振動子である。
【手続補正１１】
【補正対象書類名】明細書
【補正対象項目名】００２１
【補正方法】変更
【補正の内容】
【００２１】
［適用例９］本適用例は、前記複数の溝の圧電基板厚さ方向の深さは、前記励振用電極に近い程浅く、圧電基板長手方向端部に近いほど深くしたことを特徴とする圧電振動子である。
【手続補正１２】
【補正対象書類名】明細書
【補正対象項目名】００２２
【補正方法】変更
【補正の内容】
【００２２】
［適用例１０］本適用例は、前記励振用電極と圧電基板長手方向端部との間の所望の位置にある溝の圧電基板厚さ方向の深さを他の溝の深さより深くしたことを特徴とする圧電振動子である。
【手続補正１３】
【補正対象書類名】明細書
【補正対象項目名】００２３
【補正方法】変更
【補正の内容】
【００２３】
［適用例１１］本適用例は、前記励振用電極の両側に位置し、該電極にもっとも近接した一対の溝及びその次に近接した一対の溝の圧電基板厚さ方向の深さは、他の溝の深さより浅いことを特徴とする圧電振動子である。
【手続補正１４】
【補正対象書類名】明細書
【補正対象項目名】００２４
【補正方法】変更
【補正の内容】
【００２４】
［適用例１２］本適用例は、前記励振用電極と圧電基板長手方向端部との間の所望の位置にある隣り合う一組の溝と、該一組の溝とは前記励振用電極を挟んで対向する位置にある他の隣り合う一組の溝の圧電基板厚さ方向の深さをそれ以外の溝の深さより深くしたことを特徴とする圧電振動子である。
【手続補正１５】
【補正対象書類名】明細書
【補正対象項目名】００２５
【補正方法】変更
【補正の内容】
【００２５】
［適用例１３］本適用例は、厚み滑り振動を主振動とする圧電振動子において、圧電基板両主面上中央部に励振用電極を形成すると共に、前記圧電基板の厚み滑り振動の伝搬方向端部と前記励振用電極との間に複数の孔を設けたことを特徴とする圧電振動子である。
【手続補正１６】
【補正対象書類名】明細書
【補正対象項目名】００２６
【補正方法】変更
【補正の内容】
【００２６】
［適用例１４］本適用例は、前記振動子が短冊形であって、前記複数の孔は、前記圧電基板の短辺方向に列状に形成したことを特徴とする圧電振動子である。
【手続補正１７】
【補正対象書類名】明細書
【補正対象項目名】００２７
【補正方法】変更
【補正の内容】
【００２７】
［適用例１５］本適用例は、前記振動子が短冊形であって、前記孔の列が、前記圧電基板の長辺と直交する線に対し所望の角度傾斜していることを特徴とする圧電振動子である。
【手続補正１８】
【補正対象書類名】明細書
【補正対象項目名】００２８
【補正方法】変更
【補正の内容】
【００２８】
［適用例１６］本適用例は、前記振動子が短冊形であって、前記孔の列が、前記圧電基板の長辺と直交する線に対し所望の角度傾斜し、且つ、前記圧電基板長辺方向に平行し且つ前記励振用電極のほぼ中央部を通過する線に対して線対称に設けられていることを特徴とする圧電振動子である。
【手続補正１９】
【補正対象書類名】明細書
【補正対象項目名】００２９
【補正方法】変更
【補正の内容】
【００２９】
［適用例１７］本適用例は、前記複数の列が、前記圧電基板の対向する長辺から延在し、互いに間挿するよう配置されていることを特徴とする圧電振動子である。
【手続補正２０】
【補正対象書類名】明細書
【補正対象項目名】００３０
【補正方法】変更
【補正の内容】
【００３０】
［適用例１８］本適用例は、前記複数の列が、前記圧電基板長辺から、前記圧電基板長辺に平行し且つ前記励振用電極のほぼ中央部を通過する線付近まで延在することを特徴とする圧電振動子である。
【手続補正２１】
【補正対象書類名】明細書
【補正対象項目名】００３１
【補正方法】変更
【補正の内容】
【００３１】
［適用例１９］本適用例は、前記列が、所望の曲率で前記励振用電極側に湾曲していることを特徴とする圧電振動子である。
【手続補正２２】
【補正対象書類名】明細書
【補正対象項目名】００３２
【補正方法】変更
【補正の内容】
【００３２】
［適用例２０］本適用例は、前記孔が、千鳥格子状に配列したことを特徴とする圧電振動子である。
【手続補正２３】
【補正対象書類名】明細書
【補正対象項目名】００３３
【補正方法】変更
【補正の内容】
【００３３】
［適用例２１］本適用例は、前記列の長さが、前記励振用電極の長さ以上であることを特徴とする圧電振動子である。
【手続補正２４】
【補正対象書類名】明細書
【補正対象項目名】００３４
【補正方法】変更
【補正の内容】
【００３４】
［適用例２２］本適用例は、前記励振用電極に近い前記孔の圧電基板厚さ方向の深さが、他の孔の深さより浅いことを特徴とする圧電振動子である。
【手続補正２５】
【補正対象書類名】明細書
【補正対象項目名】００３５
【補正方法】変更
【補正の内容】
【００３５】
［適用例２３］本適用例は、前記励振用電極と圧電基板長手方向端部との間の所望の位置にある複数の孔の圧電基板厚さ方向の深さを他の孔の深さより深くしたことを特徴とする圧電振動子である。
【手続補正２６】
【補正対象書類名】明細書
【補正対象項目名】００３６
【補正方法】変更
【補正の内容】
【００３６】
［適用例２４］本適用例は、前記孔の圧電基板厚さ方向の深さを、前記励振用電極に近いほど浅く、圧電基板長手方向端部に近いほど深くしたことを特徴とする圧電振動子である。
【手続補正２７】
【補正対象書類名】明細書
【補正対象項目名】００３７
【補正方法】変更
【補正の内容】
【００３７】
［適用例２５］本適用例は、前記励振用電極に近い前記列を構成する孔の圧電基板厚さ方向の深さが、他の列に含まれる孔の深さより浅いことを特徴とする圧電振動子である。
【手続補正２８】
【補正対象書類名】明細書
【補正対象項目名】００３８
【補正方法】変更
【補正の内容】
【００３８】
［適用例２６］本適用例は、前記列を構成する孔の圧電基板厚さ方向の深さを、前記励振用電極に近い列の孔ほど浅く、圧電基板長手方向端部に近い列の孔ほど深くしたことを特徴とする圧電振動子である。
【手続補正２９】
【補正対象書類名】明細書
【補正対象項目名】００３９
【補正方法】変更
【補正の内容】
【００３９】
［適用例２７］本適用例は、前記励振用電極と圧電基板長手方向端部との間の所望の位置にある列を構成する孔の圧電基板厚さ方向の深さを他の列を構成する孔の深さより深くしたことを特徴とする圧電振動子である。
【手続補正３０】
【補正対象書類名】明細書
【補正対象項目名】００４０
【補正方法】変更
【補正の内容】
【００４０】
［適用例２８］本適用例は、前記励振用電極にもっとも近接した一対の列及びその次に近接した一対の列を構成する孔の圧電基板厚さ方向の深さが、他の列を構成する孔の深さより浅いことを特徴とする圧電振動子である。
【手続補正３１】
【補正対象書類名】明細書
【補正対象項目名】００４１
【補正方法】変更
【補正の内容】
【００４１】
［適用例２９］本適用例は、厚み滑り振動を主振動とする圧電振動子において、圧電基板両主面上中央部に励振用電極を形成すると共に、前記圧電基板の厚み滑り振動の伝搬方向端部と前記励振用電極との間に添加物を添加したことを特徴とする圧電振動子である。
【手続補正３２】
【補正対象書類名】明細書
【補正対象項目名】００４２
【補正方法】変更
【補正の内容】
【００４２】
［適用例３０］本適用例は、前記添加物を、イオン打込み技術或は気相熱拡散技術を用いて添加したことを特徴とする圧電振動子である。
【手続補正３３】
【補正対象書類名】明細書
【補正対象項目名】００４３
【補正方法】変更
【補正の内容】
【００４３】
［適用例３１］本適用例は、単一のウェーハ上であって、圧電振動子の励振用電極と該圧電振動子個片の長手方向端部との間に位置する部位に複数の溝または孔を形成する工程或は添加物を添加する工程と、単一のウェーハ上であって、各圧電振動子個片に対応し、圧電振動子個片の端部或は端部付近に位置する部位にスルーホールを形成する工程と、単一のウェーハ上に圧電振動子個片の励振用電極及びリード電極を夫々複数形成する工程と、前記スルーホールに導体膜を形成する工程と、前記単一のウェーハを複数の圧電振動子に分割する工程とからなることを特徴とする圧電振動子の製造方法である。
【手続補正３４】
【補正対象書類名】明細書
【補正対象項目名】００４４
【補正方法】変更
【補正の内容】
【００４４】
［適用例３２］本適用例は、上記溝または孔を形成する工程と上記スルーホールを形成する工程とを同時に行うことを特徴とする圧電振動子の製造方法である。
【手続補正３５】
【補正対象書類名】明細書
【補正対象項目名】００４５
【補正方法】変更
【補正の内容】
【００４５】
［適用例３３］本適用例は、上記励振用電極及びリード電極を形成する工程と上記スルーホールに導体膜を形成する工程とを同時に行うことを特徴とする圧電振動子の製造方法である。